(57)【特許請求の範囲】
【請求項１】
耕耘爪（１）を配列して取り付けた耕耘爪軸（２）を、伝動装置（３）を内装した伝動ケース（４）の下部に軸支され側方に突出する駆動軸（１０）に取り付け、該伝動ケース（４）と前記耕耘爪軸（２）端部側の耕耘爪（１）との間に回転円板（５）を介装し、該回転円板（５）を耕耘爪軸（２）と同一回転数で駆動し、耕耘爪軸（２）の左右端部を軸支するサイドドライブロータリ構成とし、耕耘爪軸（２）の左右端部に夫々回転円板（５）を介装し、回転円板（５）の回転軌跡の外径と、耕耘爪（１）の回転軌跡の外径を略同径とすると共に、複数個に分割する回転円板（５）の分割間隙面（２８）の少なくとも先端を、側面視でその外周先端側を回転方向に対し後退角方向に逃がしたことを特徴とする耕耘装置。
【発明の詳細な説明】
【０００１】
【発明の属する技術分野】
本発明は、耕耘装置に関し、特にロ−タリ耕耘軸の草巻付き防止装置に関する。
【０００２】
【従来の技術】
従来からロ−タリ耕耘機は、耕耘作業に伴って、圃場に残っている長稈の草類やイグサ等が耕耘爪の取付部や耕耘爪軸に巻き付くのを未然に防止する手段が考案され、実用化への試みがある。公知技術の一例を述べると、耕耘爪軸に配列して取り付けられている左右両端部の耕耘爪の間に、巻付き防止部材として線状部材を耕耘爪軸と平行に張り渡して構成したものがある。そして、上記巻付き防止部材は、耕耘作業に際して耕耘爪軸から外方に隔たった位置で、その耕耘爪軸の外周を平行を保って回転しながら巻き付こうとする草を排除して、巻き付きを防止する構成になっている。
【０００３】
【発明が解決しようとする課題】
上述した巻付き防止手段は、耕耘爪軸への草の巻付きはほとんど発生しないが、耕耘爪軸の軸端から軸受部材側（伝動ケ−ス等）への巻付きが発生し、極端な場合には軸受部材のシール部から油漏れが起きるなどの課題がある。
【０００４】
【課題を解決するための手段】
本発明は、上述した課題を解決するために、次の如き技術手段を講ずるものである。すなわち、耕耘爪（１）を配列して取り付けた耕耘爪軸（２）を、伝動装置（３）を内装した伝動ケース（４）の下部に軸支され側方に突出する駆動軸（１０）に取り付け、該伝動ケース（４）と前記耕耘爪軸（２）端部側の耕耘爪（１）との間に回転円板（５）を介装し、該回転円板（５）を耕耘爪軸（２）と同一回転数で駆動し、耕耘爪軸（２）の左右端部を軸支するサイドドライブロータリ構成とし、耕耘爪軸（２）の左右端部に夫々回転円板（５）を介装し、回転円板（５）の回転軌跡の外径と、耕耘爪（１）の回転軌跡の外径を略同径とすると共に、複数個に分割する回転円板（５）の分割間隙面（２８）の少なくとも先端を、側面視でその外周先端側を回転方向に対し後退角方向に逃がしたことを特徴とする耕耘装置としたものである。
【０００５】
【発明の実施の形態】
以下、本発明の実施の形態を図面に基づいて具体的に説明する。まず、上部伝動機枠６は、図１の背面図に示すように、左右方向中央部に中央伝動ケース２１を配設し、移動農機のＰＴＯ軸と接続する入力軸２２に原動側の駆動力を伝動し、この駆動力を上部伝動機枠６に内装した伝動軸７に傘歯車２３，２４を介して伝えている。上部伝動機枠６の一方側に伝動ケ−ス４を連結し、他方側に支持機枠８を連結してそれぞれ垂下状態にして構成し、垂下下端部間に耕耘爪軸２を配設している。そして、伝動ケ−ス４には、図１に示すように、上部を前述した伝動軸７の突出端に取り付けた上部スプロケット９に係合し、下部を駆動軸１０に軸着取り付けした下部スプロケット１１に掛け渡して内装した伝動チエン１２との３者で構成した伝動装置３を内装した構成としている。
【０００６】
そして、耕耘爪軸２は、図１に示すように、一方の端部を、回転円板５と取付板１３とを重ね合わせて駆動軸１０の取付フランジ１４に、ボルト１５によって着脱自由に締め付けて固着し、他方の端部を、同じように回転円板５と取付板１３とを重ね合わせてボルト１５によって支持軸１６の取付フランジ１７に着脱自由に締め付けて固着している。図２側面視の回転円板５において、２６は取付孔であって前述したボルト１５を通し、２７は開口であって耕耘爪軸２が通過している。また、外周縁部は切断刃縁としている。実施例の回転円板５の構成では、回転円板５の後付けを容易とするために、回転円板５を１８０度に２等分しており、両者を夫れ夫れボルト１５，１５…により取付板１３に取り付けて、円形状の回転円板５を構成する。
【０００７】
そして、耕耘爪軸２は、軸上に配列して設けた複数の爪ホルダ１９，１９…に耕耘爪１，１…を取り付けて耕耘装置２０を構成している。組付け後の回転円板５は、図例では図１に示すように、耕耘爪１の掘削時回転半径と略同等の半径に形成された平板円形状の円板であり、一端最外側の耕耘爪１側と伝動ケ−ス４側間および、他端最外側の耕耘爪１側と支持部材８側との間で、これらを隔離する構成としている。また、後述の作用で詳述するが回転円板５の外径は、耕耘爪１の掘削時回転半径に対し、半径で略５ｃｍ程度の、小さい小径から大きい大径までの略同径とすれば、同様の目的と効果を奏する。
【０００８】
次に、別図例の回転円板５について、以下説明する。図３で示すものは、取付後の回転円板５の外周縁を側面視で同一半径の円形としたもので、回転円板５を１２０度程度の３等分した分割構造としている。そして、外周端縁部は薄肉状の平板であるから、プレス型での打ち抜き切断端面としている。
【０００９】
図４で示すものは、図２の２等分する回転円板５の変形例であり、本願発明の実施例を示す。回転円板５の分割間隙面２８を、駆動回転方向に対し先端部に円弧方向の後退角を設けており、回転時に草，藁，イグサ等の長稈が分割間隙面に入り込みにくくしている。図５は、図３で示す回転円板５の別構成図例であって、３等分した回転円板５の分割間隙面２８を直線状として、開口２７から接線方向に後退角を設けて長稈が分割間隙面２８に入り込みにくくしたものである。
【００１０】
図例で示した回転円板５の外周縁は、単に９０度の切断端縁としているが、外周端縁部を背面視で「Ｖ」字状に先端を尖らせた刃部５ｂとすると、地表面とこの刃部５ｂ間で草，藁，イグサ等の長稈を挾んだときや、長稈が刃部５ｂに巻き付いたときさらに切断性能を向上可能としている。回転円板５は、耕耘爪軸２の駆動により同回転数で回転するが、その回転中に回転円板５の外周縁には、草，藁，イグサ等の長稈が巻きつかずに、跳ね出されたり切断分離される形状としている。
【００１１】
以上のように構成された耕耘装置２０は、図示しないトラクタ機体側からの駆動力を、入力軸２２を経て伝動軸７に動力伝動すると、耕耘爪軸２が、上部スプロケット９、伝動チエン１２、下部スプロケット１１、駆動軸１０、取付フランジ１４、取付板１３、回転円板５の順に伝動され、耕耘爪１を駆動して耕耘作業を開始する。
【００１２】
すると、耕耘爪１，１…は、回転に伴って圃場の土壌を反転しながら進み、耕耘作業を行なうが、そのとき、生えている草や収穫後の圃場に残っている比較的長い稈などが、引っ掛かって持ち回りながら回転する。回転円板５が無い場合は、その際に、耕耘爪１，１…によりロータリ耕耘部の幅外に散乱した草や藁やイグサ等の長稈は、耕耘爪軸２側に引き寄せられるから、引き寄せ途中で長稈は、伝動ケ−ス４側駆動軸１０の取付フランジ１４廻り、および支持機枠８側支持軸１６の取付フランジ１７廻りに侵入しようとする。しかし本件発明では、耕耘爪軸２左右端に取り付けられた径大の回転円板５，５によって、圃場の掘削土表面でロータリ耕耘部の幅外からロータリ耕耘部幅内に散乱した草や藁やイグサ等の長稈は、回転円板５により実体部を表土に押圧されて、その耕耘幅内方への引き込み移動を規制されたり、押圧部分で切断されたり、耕耘装置２０の耕耘爪１，１…に引かれる時、径大方向に広げ案内されるから、長稈は一部が耕耘爪軸２側に無理矢理引かれて巻き付くことになったり、切断されて一部は短くなって幅外の地表に残ったり、一部は振り飛ばされるように離れたりする。
【００１３】
このように、草や藁やイグサ等の長稈を回転円板５の外周端縁で押圧または押圧切断または案内しているので、長稈等は最終的に耕耘爪１，１…に引っ張られて耕耘爪軸２中間部に巻き付くことはあっても、伝動ケ−ス４側および支持基枠８側の耕耘爪軸２取付端近傍部に侵入することはない。回転円板５の外径が耕耘爪１より大きくなるにつれ長稈の押圧または押圧切断の機能が向上し、回転円板５の外径が小さくなるにつれ長稈を耕耘爪１，１…方向へ横方向案内する機能が向上する。
【００１４】
そして、この回転円板５駆動方向に対し、複数に分割する回転円板５の分割間隙面２８が、後退角方向に逃げているから、回転時に草，藁，イグサ等の長稈が分割間隙面２８に入り込みにくくなる。以上のように、本発明は、耕耘爪軸２取付端部に草や藁やイグサ等の長稈の侵入がほとんどないから、従来のように、巻き付いた長稈のために、伝動ケ−ス４や支持機枠８の軸受部分のシール３０が油漏れするまで発展する故障がない特徴を有する。
【００１５】
【発明の効果】
本発明は、以上のように構成したものであるから、耕耘爪軸（２）の軸端部分や軸受部材側（伝動ケースや支持部材）への草の巻き付きを未然に防止できる効果を有するものである。
特に、複数個に分割する回転円板（５）の分割間隙面（２８）の少なくとも先端を、側面視でその外周先端側を回転方向に対し後退角方向に逃がして、回転時に草，藁，イグサ等の長稈が分割間隙面に入り込みにくい効果がある。
【図面の簡単な説明】
【図１】本発明の実施例であって、一部破断した全体背面図である。
【図２】参考例を示す側面図である。
【図３】参考例を示す側面図である。
【図４】本発明の実施例を示す側面図である。
【図５】本発明の別実施例を示す側面図である。
【符号の説明】
１ 耕耘爪
２ 耕耘爪軸
３ 伝動装置
４ 伝動ケ−ス
５ 回転円板
１０ 駆動軸
２８ 分割間隙面
【図１】
0003924998.tif 000002
【図２】
0003924998.tif 000003
【図３】
0003924998.tif 000004
【図４】
0003924998.tif 000005
【図５】
0003924998.tif 000006